(57)【要約】【課題】共通のムーブメントを用いてケースサイズの異なる電子時計を構成でき、ボタン用の部品の種類も少なくできる電子時計を提供すること。【解決手段】電子時計１は、ムーブメント６と、ムーブメント６を保持する中枠体７と、ムーブメント６および中枠体７を収納する外装ケース２と、外装ケース２に進退移動可能に設けられた第１スイッチ部材４０と、中枠体７に設けられて第１スイッチ部材４０と連動して進退移動する第２スイッチ部材４５と、ムーブメント６に設けられて第２スイッチ部材４５がムーブメント６側に移動することを検出するスイッチばね６１とを備える。【選択図】図３
2016114552.tif 000002
【特許請求の範囲】
【請求項１】
ムーブメントと、
前記ムーブメントを保持する中枠体と、
前記ムーブメントおよび中枠体を収納するケースと、
前記ケースに進退移動可能に設けられた第１スイッチ部材と、
前記中枠体に設けられて前記第１スイッチ部材と連動して進退移動する第２スイッチ部材と、
前記ムーブメントに設けられて前記第２スイッチ部材が前記ムーブメント側に移動することを検出するスイッチ検出部とを備える
ことを特徴とする電子時計。
【請求項２】
請求項１に記載の電子時計において、
前記第２スイッチ部材は、ピンおよびピン用付勢部材を備え、
前記ピンは、
前記中枠体に形成された貫通孔に挿通される軸部と、
前記軸部の一端側で前記軸部よりも大径に形成され、前記第１スイッチ部材が当接する当接部とを有し、
前記ピン用付勢部材は、前記当接部および中枠体間に配置されて、前記ピンを前記第１スイッチ部材側に付勢する
ことを特徴とする電子時計。
【請求項３】
請求項２に記載の電子時計において、
前記軸部の他端側は、前記中枠体の内周面から突出して配置され、かつ、前記中枠体に係合する抜け止め部を有する
ことを特徴とする電子時計。
【請求項４】
請求項１から請求項３のいずれか一項に記載の電子時計において、
前記第１スイッチ部材は、ボタン本体およびボタン用付勢部材を備え、
前記ボタン本体は、
前記ケースに形成された貫通孔に挿通される軸部と、
前記軸部の一端側に設けられて前記ケースの外周面に露出する頭部とを有し、
前記ボタン用付勢部材は、前記頭部およびケース間に配置されて、前記ボタン本体を前記ケースの外側に付勢する
ことを特徴とする電子時計。
【発明の詳細な説明】
【技術分野】
【０００１】
本発明は、電子時計に関する。
【背景技術】
【０００２】
腕時計では、コストの削減と、デザインのバリエーション増加を両立するため、基本となる共通のムーブメントを、様々なサイズ、デザインの時計ケース内に組み込むことで、大きさやデザインの異なる複数種類の時計を構成することが考えられている。
例えば、特許文献１では、りゅうず本体を、巻真に対してケース外部から螺合可能に構成することで、胴および裏蓋からなる一般的なケースと、ワンピースタイプのケース等の外装ケースの構造に関わらず、ムーブメントを共通化している。
【先行技術文献】
【特許文献】
【０００３】
【特許文献１】特開２００７−２６３６８６号公報
【発明の概要】
【発明が解決しようとする課題】
【０００４】
ところで、最近の電子時計は、様々な機能を有し、その機能を動作させるために、りゅうずとは別に複数のボタンを配置するようになった。ボタンは、外装ケースの胴に案内され、ボタンを押し込んだ際に、ボタンの軸をムーブメントのスイッチバネに当接させることで入力を検出する。したがって、共通のムーブメントを用い、かつ、外装ケースのサイズを大きくした場合は、ケースの胴からムーブメントのスイッチバネまでの距離が長くなる。このため、ケースサイズに応じて軸の長さ寸法が異なる複数種類のボタンを用意する必要がある。
さらに、ボタンはケースの外周面に露出する外装の一部であり、形状やサイズ等のボタンのデザインはケースに合わせて設計される。したがって、ケースのサイズに応じて軸の長さ寸法が異なるボタンをデザイン毎に用意すると、ボタンの種類が増大してしまう。
【０００５】
本発明は、共通のムーブメントを用いてケースサイズの異なる電子時計を構成でき、ボタン用の部品の種類も少なくできる電子時計を提供することにある。
【課題を解決するための手段】
【０００６】
本発明の電子時計は、ムーブメントと、前記ムーブメントを保持する中枠体と、前記ムーブメントおよび中枠体を収納するケースと、前記ケースに進退移動可能に設けられた第１スイッチ部材と、前記中枠体に設けられて前記第１スイッチ部材と連動して進退移動する第２スイッチ部材と、前記ムーブメントに設けられて前記第２スイッチ部材が前記ムーブメント側に移動することを検出するスイッチ検出部とを備えることを特徴とする。
【０００７】
本発明によれば、ケースに進退移動可能に設けられた第１スイッチ部材と、中枠体に設けられて第１スイッチ部材と連動して進退移動する第２スイッチ部材とを設け、第２スイッチ部材のムーブメント側への移動をスイッチ検出部で検出する。このため、共通のムーブメントを用いてケースサイズが異なる複数種類の電子時計を構成する場合は、中枠体およびこの中枠体に配置される第２スイッチ部材のみをケースサイズに応じて変更することで対応できる。したがって、第１スイッチ部材は、ケースのサイズが異なる場合でも共通のものを用いることができ、ボタン用の部品の種類を少なくできる。
さらに、第１スイッチ部材は、ケースの外周面に露出するボタンとして利用されるので、ボタンのデザインを変更する場合は、第１スイッチ部材のみ変更すればよい。
すなわち、ボタンのデザインを変更する場合は、第１スイッチ部材を変更することで対応でき、ケースサイズを変更する場合は、中枠体および第２スイッチ部材を変更することで対応できるので、デザインおよびケースサイズ毎にボタンを用意する場合に比べて、ボタンを構成するスイッチ部材の種類を少なくできる。例えば、ボタンデザインが３種類あり、ケースサイズが３種類ある場合、従来であれば、デザイン３種類×ケースサイズ３種類の計９種類のボタンを用意しなければならない。これに対し、本発明では、第１スイッチ部材を３種類、第２スイッチ部材を３種類の計６種類を用意すればよく、ボタンを構成するスイッチ部材の種類を少なくでき、コストも低減できる。したがって、第１スイッチ部材および第２スイッチ部材を組み合わせてボタンを構成することで、共通のムーブメントを用いてケースサイズの異なる電子時計を低コストで構成できる。
【０００８】
本発明の電子時計において、前記第２スイッチ部材は、ピンおよびピン用付勢部材を備え、前記ピンは、前記中枠体に形成された貫通孔に挿通される軸部と、前記軸部の一端側で前記軸部よりも大径に形成され、前記第１スイッチ部材が当接する当接部とを有し、前記ピン用付勢部材は、前記当接部および中枠体間に配置されて、前記ピンを前記第１スイッチ部材側に付勢することが好ましい。
【０００９】
第２スイッチ部材は、ピンおよびピン用付勢部材を備え、ピンはピン用付勢部材で常時第１スイッチ部材側つまりムーブメントから離れる方向に付勢されている。このため、電子時計を手首に装着したユーザーが腕を動かすことなどで、重力方向に対する電子時計の向きが変化した場合等に、ピンが自重でムーブメント側に移動することを防止でき、ピンの自重による移動をスイッチ検出部が検出する誤入力も確実に防止できる。
【００１０】
本発明の電子時計において、前記軸部の他端側は、前記中枠体の内周面から突出して配置され、かつ、前記中枠体に係合する抜け止め部を有することが好ましい。
ピンの軸部が中枠体の内周面に突出し、その突出部分に抜け止め部が設けられていれば、別途、止め輪などを設ける必要が無く、第２スイッチ部材の部品点数を少なくできる。
【００１１】
本発明の電子時計において、前記第１スイッチ部材は、ボタン本体およびボタン用付勢部材を備え、前記ボタン本体は、前記ケースに形成された貫通孔に挿通される軸部と、前記軸部の一端側に設けられて前記ケースの外周面に露出する頭部とを有し、前記ボタン用付勢部材は、前記頭部およびケース間に配置されて、前記ボタン本体を前記ケースの外側に付勢することが好ましい。
【００１２】
第１スイッチ部材は、ボタン本体とボタン用付勢部材とを備え、ボタン本体はボタン用付勢部材で常時ケースの外側つまり第２スイッチ部材から離れる方向に付勢している。このため、ピン用付勢部材のみでピンおよびボタン本体を付勢する場合に比べて、ピン用付勢部材の付勢力を小さくでき、ピン用付勢部材としてより小型のコイルバネなどを利用できる。
【図面の簡単な説明】
【００１３】
【図１】本発明の実施形態の電子時計を示す正面図。
【図２】前記電子時計の２時−８時方向の概略断面図。
【図３】前記電子時計のボタンの要部を示す拡大断面図。
【図４】前記電子時計の要部の分解斜視図。
【発明を実施するための形態】
【００１４】
以下、本発明の実施形態に係る電子時計（腕時計）１を図１〜４に基づいて説明する。
電子時計１は、後述するムーブメント等を収容する外装ケース２を備える。外装ケース２は、ケース本体３と、裏蓋４とを備える。ケース本体３は、円筒状の胴１１と、胴１１の表面側に設けられたベゼル１２とを備える。
ベゼル１２は、リング状に形成されている。そして、ベゼル１２と胴１１とは、互いの対向面に形成された凹凸による嵌め合わせ構造あるいは両面粘着テープや接着剤等の手段により接続されている。なお、ベゼル１２は、胴１１に対して回転可能に取り付けられていてもよい。
また、ベゼル１２の内側には、ベゼル１２によって保持されたカバーガラス５が取り付けられている。
【００１５】
ケース本体３の裏面側には、ケース本体３の裏面側の開口を塞ぐ円板状の裏蓋４が設けられている。裏蓋４は、ケース本体３の胴１１に取り付けられている。
裏蓋４は、リング状の枠１３と、この枠１３の内部にパッキンを介して圧入された透光性部材である裏蓋ガラス１４とで構成されている。
なお、本実施形態では、胴１１と裏蓋４とは、別体で構成されているが、これに限らず、胴１１および裏蓋４が一体化されたワンピースケースでもよい。
胴１１、ベゼル１２、裏蓋４の枠１３には、ＢＳ（真鍮）、ＳＵＳ（ステンレス鋼）、チタン合金などの金属材料が利用される。
【００１６】
［電子時計の内部構造］
次に、電子時計１の外装ケース２に内蔵される内部構造について説明する。
図２に示すように、外装ケース２内には、ムーブメント６と、中枠体７と、文字板１５と、ダイヤルリング１６とが収容される。
中枠体７は、文字板受けリング７０と、中枠７５とを備えている。文字板受けリング７０および中枠７５は、ポリカーボネートなどの合成樹脂で構成されている。
【００１７】
ムーブメント６は、前記文字板受けリング７０に形成されたフック部７４（図４参照）によって、文字板受けリング７０の内周に取り付けられている。
ムーブメント６は、地板、ステップモーター、輪列、電池などを備え、指針や日車を駆動する。例えば、図１に示す例では、文字板１５の平面中心位置を回転軸とする時針２１、分針２２、ストップウォッチ用の１／５秒針２３が設けられている。また、文字板１５の３時側には２４時針２４が配置され、６時位置にはストップウォッチ用の分針２５が配置され、９時位置には秒針２６が配置されている。また、文字板１５の４時および５時間の位置には、日車２７の日付を表示する日窓１５Ａが形成されている。
なお、各指針や日車のレイアウトや数、種類などは図１に示すものに限定されない。
【００１８】
文字板１５は、ステンレスなどの金属材やプラスチックなどの板材で形成されており、底面から突設された足をムーブメント６の地板に圧入することでムーブメント６の表面側に取り付けられる。この際、前記文字板受けリング７０に当接することで、ムーブメント６に対する文字板１５の高さ位置が規定される。これにより、文字板１５およびムーブメント６の地板間に所定の空間が形成され、この空間に日車２７等が配置される。
文字板１５の外周縁には、ダイヤルリング１６が配置される。ダイヤルリング１６の上面はベゼル１２に当接して位置決めされている。
【００１９】
［ボタンの構成］
図１に示すように、外装ケース２には、リューズ３０と、４つのボタン３１〜３４が設けられている。
４つのボタン３１〜３４のうち、外装ケース２の８時位置、１０時位置に配置される２つのボタン３１，３２は互いに同じ構成とされている。このため、図３の拡大図でボタン３１を例に説明する。
ボタン３１は、外装ケース２の胴１１に進退移動可能に設けられた第１スイッチ部材４０と、中枠体７の文字板受けリング７０に設けられた第２スイッチ部材４５とを備えている。
【００２０】
なお、図４にも示すように、胴１１には、第１スイッチ部材４０を配置するために、胴１１の外周面に開口する凹部１１１と、凹部１１１の底面から胴１１の内周面まで貫通する貫通孔１１２とが形成されている。凹部１１１は、後述する第１スイッチ部材４０のボタン本体４１に対応した形状で構成されている。
また、文字板受けリング７０には、第２スイッチ部材４５を配置するために、文字板受けリング７０の外周面に開口する凹部７１と、凹部７１の底面から文字板受けリング７０の内周面まで壁部７２を貫通する貫通孔７３とが形成されている。凹部７１は、後述する第２スイッチ部材４５のピン４６に対応して断面円形に形成されている。
【００２１】
［第１スイッチ部材］
第１スイッチ部材４０は、図３，４に示すように、ボタン本体４１と、ホルダ４２と、第１バネ４３と、ボタン止め輪４４とを備える。
ホルダ４２は、筒状に形成され、その外周面にはフランジ４２１がリング状に突出して形成されている。ホルダ４２は、胴１１の貫通孔１１２に挿入され、フランジ４２１が凹部１１１の底面に当接している。
【００２２】
ボタン本体４１は、頭部４１１と、軸部４１２とを備える。頭部４１１は、前記凹部１１１に配置されている。頭部４１１とホルダ４２のフランジ４２１との間には、第１バネ４３が配置されている。
第１バネ４３は、コイルバネで構成され、頭部４１１つまりボタン本体４１を外装ケース２の外側に向かって付勢する。このため、第１バネ４３によって、ボタン用付勢部材が構成されている。
【００２３】
ボタン本体４１の軸部４１２は、前記ホルダ４２内に挿入されている。このため、軸部４１２は、胴１１の貫通孔１１２に挿通されていることになる。
軸部４１２の先端はホルダ４２から文字板受けリング７０側に突出している。この軸部４１２の先端には、ボタン止め輪４４が装着されている。ボタン止め輪４４の直径は、ホルダ４２の孔の直径よりも大きくされ、ホルダ４２の端部に当接する。これにより、第１バネ４３で付勢されるボタン本体４１がホルダ４２から抜け落ちることを防止している。
【００２４】
［第２スイッチ部材］
第２スイッチ部材４５は、ピン４６と、第２バネ４７とを備えている。
ピン４６は、ボタン本体４１が当接する当接部４６１と、軸部４６２とを備える。当接部４６１は、文字板受けリング７０の凹部７１に配置され、軸部４６２は貫通孔７３に挿通されている。
文字板受けリング７０の壁部７２と、当接部４６１との間には、第２バネ４７が配置されている。
第２バネ４７は、コイルバネで構成され、当接部４６１つまりピン４６を文字板受けリング７０の外側つまり第１スイッチ部材４０側に付勢する。このため、第２バネ４７によって、ピン用付勢部材が構成されている。
【００２５】
ピン４６の軸部４６２の先端は、壁部７２からムーブメント６側に突出している。この軸部４６２の先端には、当接部４６１に向かうにしたがって直径が大きくなるテーパ状の係止部４６３が形成されている。係止部４６３の最大径は、壁部７２の貫通孔７３の直径よりも大きくされている。
ここで、文字板受けリング７０は合成樹脂製であり、ピン４６は金属製である。このため、ピン４６の軸部４６２に第２バネ４７を挿通した状態で、文字板受けリング７０の外周側からピン４６を貫通孔７３に押し込むことで、前記テーパ状の係止部４６３は壁部７２を乗り越えて文字板受けリング７０の内周側に移動する。これにより、第２バネ４７で付勢されるピン４６が文字板受けリング７０から抜け落ちることを防止している。したがって、係止部４６３によってピン４６の抜け止め部が構成されている。
【００２６】
このような第１スイッチ部材４０のボタン本体４１および第２スイッチ部材４５のピン４６は、外装ケース２内に文字板受けリング７０を配置した際に、互いに当接する。
ユーザーがボタン３１を押していない状態では、ボタン本体４１は、図３に示すように、第１バネ４３で外装ケース２から突出する方向に付勢され、前記ボタン止め輪４４がホルダ４２に当接した位置で停止している。すなわち、ボタン本体４１は、外装ケース２から突出する方向のストロークエンドに位置している。
この際、ピン４６は、第２バネ４７で文字板受けリング７０から突出する方向のストロークエンド位置（係止部４６３が壁部７２に当接する位置）までは移動せずに、ボタン本体４１に当接する。このため、ピン４６は、第２バネ４７で付勢されてボタン本体４１に確実に当接する。
【００２７】
［スイッチばね］
ムーブメント６において、各ボタン３１，３２における第２スイッチ部材４５のピン４６の先端に対向する位置には、スイッチ検出部としてのスイッチばね６１が設けられている。図３に示すように、ユーザーがボタン３１を押していない初期状態の場合、この初期位置のピン４６の先端は、スイッチばね６１から寸法Ｌ１だけ離れている。
【００２８】
［ボタン操作］
ユーザーがボタン本体４１の頭部４１１を押すと、第１バネ４３の付勢力に抗してボタン本体４１がムーブメント６側に移動する。ピン４６はボタン本体４１に当接しているので、ボタン本体４１がムーブメント６側に移動すると、ピン４６も第２バネ４７の付勢力に抗してボタン本体４１と共にムーブメント６側に移動する。
ピン４６が初期位置から寸法Ｌ１だけ移動すると、軸部４６２がスイッチばね６１に当接する。さらに、ユーザーがボタン本体４１を押し込むと、ボタン本体４１およびピン４６がムーブメント６側に移動する。そして、ピン４６が初期位置から寸法Ｌ２（Ｌ２＞Ｌ１）の位置まで移動すると、スイッチばね６１が撓んでムーブメント６の回路基板に設けられた入力端子に接触する。これにより、回路基板に設けられる制御ＩＣは、ボタン３１が押されたことを検出する。
したがって、前記寸法Ｌ２は、ユーザーがボタン３１を押し始めてから、ボタン３１が押されたことを制御ＩＣが検出するまでのピン４６の移動量であるスイッチングストロークとなる。
なお、ボタン本体４１およびピン４６は、初期位置から寸法Ｌ２以上移動することができるように設定されている。この際、スイッチばね６１は、その下端側（裏蓋４側）が入力端子に接触しているため、スイッチばね６１の上端側がムーブメント６に倒れるように傾斜する。
【００２９】
［ボタン３３，３４の構成］
外装ケース２の２時位置および４時位置に配置されるボタン３３，３４は、互いに同じ構成とされ、ボタン３１，３２における第１スイッチ部材４０に相当する構成のみを備えており、第２スイッチ部材４５に相当する構成を備えていない。図２では、ボタン３３を例に説明する。
ボタン３３は、ボタン本体５１と、ホルダ５２と、ボタンバネ５３と、ボタン止め輪５４とを備える。なお、胴１１には、ボタン３１、３２が配置される凹部１１１と同様の凹部が形成され、ボタン３３、３４のボタン本体５１が配置される。
【００３０】
ホルダ５２は、筒状に形成されて胴１１の貫通孔に挿入されている。
ボタン本体５１は、頭部５１１と、軸部５１２とを備える。頭部５１１とホルダ５２との間にはボタンバネ５３が配置されている。このボタンバネ５３によって、頭部５１１つまりボタン本体５１は外装ケース２の外側に向かって付勢されている。
ボタン本体５１の軸部５１２は、前記ホルダ５２内に挿入され、軸部５１２の先端はホルダ５２からムーブメント６側に突出している。この軸部５１２の先端には、ボタン止め輪５４が装着されている。ボタン止め輪５４の直径は、ホルダ５２の孔の直径よりも大きくされ、ホルダ５２の端部に当接する。これにより、ボタンバネ５３で付勢されるボタン本体５１がホルダ５２から抜け落ちることを防止している。
【００３１】
ムーブメント６において、各ボタン３３，３４の軸部５１２の先端に対向する位置には、スイッチばね５５が設けられている。スイッチばね５５は、軸部５１２が当接すると、弾性変形して、ムーブメント６の回路基板に設けられた入力端子に接触する。これにより、回路基板に設けられる制御ＩＣは、ボタン３３，３４が押されたことを検出する。
【００３２】
［本実施形態の作用効果］
ボタン３１、３２を、胴１１に進退移動可能に設けられた第１スイッチ部材４０と、中枠体７に進退移動可能に設けられた第２スイッチ部材４５とを備えて構成したので、ムーブメント６に対して文字板１５や外装ケース２のサイズを大きくして、ムーブメント６のスイッチばね６１と、外装ケース２の胴１１との間隔が大きくなった場合に、ボタン本体４１の軸部４１２を長く伸ばす必要が無い。
また、文字板１５や外装ケース２のサイズが異なる複数種類の電子時計１において、サイズの異なる中枠体７を設け、この中枠体７に応じて第２スイッチ部材４５を設ければよく、ムーブメント６と第１スイッチ部材４０は各電子時計１において共通するものが利用できる。
したがって、ムーブメント６や第１スイッチ部材４０は１種類でよいため、様々なサイズの電子時計１を製造するコストを低減できる。
【００３３】
第２スイッチ部材４５は、ピン４６と、第２バネ４７とを備えるため、ピン４６は第２バネ４７によって常時スイッチばね６１から離れる方向に付勢されている。このため、ユーザーの腕に装着された電子時計１の向きが変化した場合にピン４６が自重で動くことも防止できる。このため、ピン４６が自重で動いてスイッチばね６１を押して入力端子に接触する誤入力を確実に防止できる。
【００３４】
第１スイッチ部材４０は、ボタン本体４１と、第１バネ４３とを備えるため、ボタン本体４１は第１バネ４３で付勢できる。このため、第１バネ４３を設けずに第２バネ４７でボタン本体４１およびピン４６を付勢する場合に比べて、第２バネ４７の付勢力を小さくでき、小型のコイルバネを利用できる。
【００３５】
ピン４６に係止部４６３を形成しているので、第２スイッチ部材４５には、止め輪を設ける必要が無い。このため、第２スイッチ部材４５の部品点数を少なくできてコストも低減できる。
【００３６】
前記実施形態では、４つのボタン３１〜３４のうち、８時、１０時位置にあるボタン３１，３２を、第１スイッチ部材４０および第２スイッチ部材４５で構成したので、電子時計１の外装ケース２の左半分では、胴１１からケース内に突出する軸部が存在しない。このため、２時、４時位置にあるボタン３３，３４の軸部５１２の寸法が長く、ケース内に突出している場合でも、ムーブメント６、中枠体７を容易に外装ケース２内に配置することができる。
【００３７】
なお、本発明は前記実施形態に限定されず、本発明の要旨の範囲内で種々の変形実施が可能である。
例えば、前記実施形態では、第１スイッチ部材４０に第１バネ４３を組み込んでいたが、第１バネ４３を設けなくてもよい。この場合、第２スイッチ部材４５に組み込まれた第２バネ４７を、ピン４６およびボタン本体４１を付勢できる付勢力に設定すればよい。この場合、第１バネ４３を不要にできるので、部品点数を少なくでき、コストを低減できる。
【００３８】
また、前記実施形態では、４つのボタン３１〜３４のうち、２つのボタン３１，３２のみを、第１スイッチ部材４０および第２スイッチ部材４５を備えたボタンとしていたが、リューズ３０に隣接する２つのボタン３３，３４のみを、第１スイッチ部材４０および第２スイッチ部材４５を備えたボタンとしてもよく、さらには４つのボタン３１〜３４のすべてを第１スイッチ部材４０および第２スイッチ部材４５を備えたボタンとしてもよい。
【００３９】
前記実施形態では、第２スイッチ部材４５を中枠体７の文字板受けリング７０に配置していたが、中枠７５に配置してもよい。さらに、中枠体７は、文字板受けリング７０および中枠７５の２つの部材で構成されるものに限らず、例えば、一体型の中枠体７を用いてもよい。
【００４０】
さらに、４つのボタン３１〜３４として、形状等のデザインが異なる複数種類のボタンを用意し、適宜組み込むようにしてもよい。この場合、第１スイッチ部材４０のボタン本体４１のみをデザイン毎に用意すれば良い。例えば、ボタンデザインが３種類あり、ケースサイズが３種類ある場合、第１スイッチ部材４０を３種類、第２スイッチ部材４５を３種類の計６種類のみ用意すればよく、ボタンを構成するスイッチ部材４０，４５の種類を少なくでき、コストも低減できる。したがって、第１スイッチ部材４０および第２スイッチ部材４５を組み合わせてボタンを構成することで、共通のムーブメントを用いてケースサイズおよびボタンデザインの異なる電子時計を低コストで構成できる。
【符号の説明】
【００４１】
１…電子時計、２…外装ケース、３…ケース本体、４…裏蓋、６…ムーブメント、７…中枠体、１１…胴、１１１…凹部、１１２…貫通孔、１２…ベゼル、１５…文字板、１６…ダイヤルリング、３０…リューズ、３１〜３４…ボタン、４０…第１スイッチ部材、４１…ボタン本体、４１１…頭部、４１２…軸部、４２…ホルダ、４３…第１バネ、４４…ボタン止め輪、４５…第２スイッチ部材、４６…ピン、４６１…当接部、４６２…軸部、４６３…係止部、４７…第２バネ、７０…文字板受けリング、７１…凹部、７２…壁部、７３…貫通孔、７４…フック部、７５…中枠。
【図１】
2016114552.tif 000003
【図２】
2016114552.tif 000004
【図３】
2016114552.tif 000005
【図４】
2016114552.tif 000006